(57)【要約】本発明は、複数の認識が関連した少なくとも１つのユーザ装置を備えた通信システムに係る。ユーザ装置は、認識の少なくとも１つを記憶する手段を有する。複数の認識の少なくとも１つを記憶するための記憶手段が設けられると共に、ユーザ装置から認識情報を受信し、その受信した認識情報に関連した少なくとも１つの認識を記憶手段から得、そして記憶手段から得た少なくとも１つの認識をユーザ装置へ送信する手段も設けられる。
2005521335.tif 000002
【特許請求の範囲】
【請求項１】
複数の認識が関連した少なくとも１つのユーザ装置であって、前記認識の少なくとも１つを記憶する手段を有するユーザ装置と、
前記複数の認識の少なくとも１つを記憶するための記憶手段と、
前記ユーザ装置から認識情報を受信し、その受信した認識情報に関連した少なくとも１つの認識を前記記憶手段から得、そして前記記憶手段から得た前記少なくとも１つの認識を前記ユーザ装置へ送信するための手段と、
を備えた通信システム。
【請求項２】
前記システムは、機密接続が確立されたときに前記ユーザ装置が前記認識情報を前記受信手段に与えるように構成された請求項１に記載のシステム。
【請求項３】
前記複数の認識は、ＩＭＳＩ、プライベートユーザ認識、少なくとも１つのパブリックユーザ認識、の少なくとも１つを含む請求項１又は２に記載のシステム。
【請求項４】
前記ユーザ装置は、前記ＩＭＳＩを記憶するように構成される請求項３に記載のシステム。
【請求項５】
前記認識情報は、前記ユーザ装置により記憶された認識の少なくとも１つ又はそこから導出された情報を含む請求項１から４のいずれかに記載のシステム。
【請求項６】
前記認識情報は、一時的識別を含む請求項１から５のいずれかに記載のシステム。
【請求項７】
前記ユーザ装置の前記記憶手段は、加入者認識モジュールＳＩＭを含む請求項１から６のいずれかに記載のシステム。
【請求項８】
前記システムは、ＩＰマルチメディアシステムを含む請求項１から７のいずれかに記載のシステム。
【請求項９】
前記受信手段は、ＣＳＣＦを含む請求項８に記載のシステム。
【請求項１０】
前記受信手段は、Ｓ−ＣＳＣＦを含む請求項９に記載のシステム。
【請求項１１】
前記記憶手段は、ＨＳＳを含む請求項１から１０のいずれかに記載のシステム。
【請求項１２】
前記システムは、ユーザ装置が通常関連付けされるホームネットワークと、該ホームネットワーク及び訪問先ネットワークの一方であるサービングネットワークとを備えた請求項１から１１のいずれかに記載のシステム。
【請求項１３】
前記記憶手段は、前記ホームネットワークに関連付けされる請求項１２に記載のシステム。
【請求項１４】
前記ユーザ装置には、前記ユーザ装置が関連付けされる記憶手段を識別するための情報が設けられる請求項１１から１２のいずれかに記載のシステム。
【請求項１５】
前記ユーザ装置は、前記記憶手段から得た前記少なくとも１つの認識を記憶するための手段を有する請求項１から１４のいずれかに記載のシステム。
【請求項１６】
通信システムに使用するための通信ノードにおいて、
ユーザ装置からの認識情報を受信するための手段と、
その受信した認識情報に基づいて前記ユーザ装置に関連した少なくとも１つの認識を記憶手段から得るための手段と、
前記記憶手段から得た前記少なくとも１つの認識を前記ユーザ装置へ送信するための手段と、
を備えた通信ノード。
【請求項１７】
ユーザ装置からそのユーザ装置に関する認識情報を送信するステップと、
前記認識情報に基づいて記憶手段から少なくとも１つの認識を得るステップと、
前記得られた少なくとも１つの認識を前記ユーザ装置へ送信するステップと、
を備えた通信方法。
【請求項１８】
前記認識情報は、ユーザの認識、ユーザの認識から導出された情報、ユーザに関連した一時的認識、の１つ以上を含む請求項１７に記載の方法。
【請求項１９】
前記記憶手段から得られた前記少なくとも１つの認識は、少なくとも１つのパブリック認識及びプライベート認識、の少なくとも１つを含む請求項１７又は１８のいずれかに記載の方法。
【請求項２０】
前記得られた少なくとも１つの認識を前記ユーザ装置に記憶するステップを更に備えた請求項１７から１９のいずれかに記載の方法。
【請求項２１】
前記送信ステップは、前記ユーザ装置から第１メッセージを送信する段階と、前記ユーザ装置から第２メッセージを送信する段階とを含み、前記第１及び第２メッセージは、前記認識情報を含み、そして前記第２メッセージは、前記第１メッセージより機密性が高い請求項１７から２０のいずれかに記載の方法。
【請求項２２】
前記第２メッセージは、完全性保護される請求項２１に記載の方法。
【請求項２３】
前記得られた少なくとも１つの認識は、機密接続を経て前記ユーザ装置へ送信される請求項１７から２２のいずれかに記載の方法。
【請求項２４】
前記ユーザ装置へ送信される前記少なくとも１つの認識は、「通知」メッセージにおいて送信される請求項１７から２３のいずれかに記載の方法。
【請求項２５】
前記少なくとも１つの認識は、２００  ＯＫメッセージにおいて前記ユーザ装置へ送信される請求項１７から２３のいずれかに記載の方法。
【発明の詳細な説明】
【技術分野】
【０００１】
本発明は、通信システム及び方法に係る。
【背景技術】
【０００２】
通信システムは、ユーザ装置、及び／又はシステムに関連した他のノードのような２つ以上のエンティティ間で通信を可能にするファシリティとみなすことができる。通信システムは、通常、システムの種々の要素が何を行なうことが許されそしてそれをいかに達成すべきか規定する所与の規格又は仕様書に基づいて動作する。例えば、規格又は仕様書は、ユーザ、より詳細には、ユーザ装置又はターミナルにパケット交換サーバーが設けられるか及び／又は回路交換サーバーが設けられるか定義する。又、接続に使用される通信プロトコル及び／又はパラメータが定義されてもよい。換言すれば、システムにより通信を可能にするには、通信の基礎となり得る特定の１組の「ルール」を定義することが必要である。
【０００３】
ユーザターミナル又は他のノードに対してワイヤレス通信を与える通信システムが知られている。ワイヤレスシステムの一例は、セルラーネットワークである。セルラーシステムでは、ベーストランシーバステーション（ＢＴＳ）又は同様のアクセスエンティティが、移動ステーション（ＭＳ）又は同様のワイヤレスユーザ装置（ＵＥ）に、これらエンティティ間のワイヤレスインターフェイスを経てサービスする。通信に必要とされるベースステーション及び他のノードのオペレーションは、１つ又は多数の制御エンティティにより制御することができる。種々の制御エンティティが相互接続されてもよい。又、セルラーネットワークを他のネットワーク、例えば、公衆交換電話ネットワーク（ＰＳＴＮ）及び／又は他の通信ネットワーク、例えば、ＩＰ（インターネットプロトコル）及び／又は他のパケット交換ネットワークに接続するために、１つ以上のゲートウェイノードが設けられてもよい。
【０００４】
通信システムは、移動ステーションのためのパケット交換（ＰＳ）サービスのようなワイヤレスデータ通信サービスを提供するように適応されてもよい。ワイヤレスデータ通信サービスを可能にするシステムは、例えば、汎用パケット無線サービス（ＧＰＲＳ）、エンハンスト・データ・レート・フォーＧＳＭエボリューション（ＥＤＧＥ）移動データネットワーク、いわゆる第三世代（３Ｇ）テレコミュニケーションシステム、例えば、ユニバーサル移動テレコミュニケーションシステム（ＵＭＴＳ）、ｉ−フォン又はＩＭＴ−２０００（国際移動テレコミュニケーション）及び地上トランク無線（ＴＥＴＲＡ）システムを含むが、これらに限定されない。
【０００５】
第三世代システムでは、マルチメディアネットワークアーキテクチャーを提供することが提案されている。マルチメディアアーキテクチャーは、異なる種類のデータ、例えば、ボイス、オーディオ、ビデオ、データそれ自体、及び実際上、他の形式の媒体を処理できることが意図される。このようなネットワークアーキテクチャーのためのＩＰ（インターネットプロトコル）マルチメディアサブシステムをもつことが提案されている。従って、このアーキテクチャーのサブシステムは、インターネットプロトコルに基づいてパケットデータ形態で種々のエンティティ間でデータを転送するように構成される。
【０００６】
ＩＰマルチメディアサブシステムは、マルチメディアサービスを提供するための全てのコアネットワーク要素を備えている。これは、シグナリング及びベアラ関連ネットワーク要素の集合を含む。ＩＰマルチメディアサービスは、パケット交換ドメインを使用するように構成される。ＩＰマルチメディアコアネットワークは、ＰＬＭＮオペレータが、インターネットアプリケーション、サービス及びプロトコルに基づき且つその上に構築されたそれらの加入者マルチメディアサービスをオファーできるように構成される。ＩＰマルチメディアコアネットワークサブシステムは、ワイヤレスユーザのためにボイス、ビデオ、メッセージ、データ及びウェブベースの技術を集合でき且つそれらにアクセスできねばならないことが意図される。
【０００７】
提案された第三世代マルチメディアネットワークアーキテクチャーは、異なるファンクションを取り扱うための多数の異なるサーバーを有してもよい。これらは、コール状態制御ファンクション（ＣＳＣＦ）のようなファンクションを含む。コール状態制御ファンクションは、プロキシーコール状態制御ファンクション（Ｐ−ＣＳＣＦ）、質問コール状態制御ファンクション（Ｉ−ＣＳＣＦ）、及びサービングコール状態制御ファンクション（Ｓ−ＣＳＣＦ）のようなファンクションを含んでもよい。又、制御ファンクションは、ホーム加入者サーバー（ＨＳＳ）及び種々のアプリケーションサーバーのようなエンティティにより与えられてもよい。
【発明の開示】
【発明が解決しようとする課題】
【０００８】
現在提案されている仕様書、第三世代パートナーシッププロジェクト、技術仕様グループサービス及びシステムアスペクト、及び参考としてここに取り上げるＩＰマルチメディアサブシステム（ＩＭＳ）ステージ２（リリース５）では、ＩＰマルチメディアサービスのユーザに関連した種々の認識が存在する。これらの認識は、プライベートユーザ認識及びパブリックユーザ認識を含む。これらの認識は、ＩＭ加入者認識モジュールＩＳＩＭに設けられる。各ＩＳＩＭは、ユーザ装置の「ユニバーサル集積回路カードＵＩＣＣ」カードにおけるアプリケーションである。しかしながら、仕様書の初期バージョンにおいては、ＵＩＣＣカードにおけるＵＭＴＳ加入者認識モジュールＵＳＩＭアプリケーションは、これらの付加的な認識を含まない。この規格の以前のバージョン（Ｒ９９又はＲｅｌ−４）に適合するＵＩＣＣカードは、加入者により販売又は所有することができる。しかしながら、仕様書のＲｅｌ−５バージョンに基づく装置のユーザがＩＰマルチメディアシステムを使用するよう試みた場合に、それを行うことができない。
【０００９】
要求されたＩＰマルチメディアサブシステム認識を、国際移動加入者識別子（ＩＭＳＩ）から直接導出することが示唆されている。しかしながら、これは、セキュリティ及び最適化の問題を招くという点で欠点がある。更に、パブリックユーザ認識は、ｊｏｈｎ．ｓｍｉｔｈ＠ｖｏｄａｆｏｎｅ．ｃｏｍ．のようにユーザに馴染みがない。むしろ、ＩＭＳＩから導出されたパブリックユーザ認識は、３３６５７４８９０＠２２０８１）に若干類似している。更に、導出されたパブリック及びプライベートのユーザ認識が有効であるかどうかチェックするには、付加的なデータベースサーチを実行することが必要である。
【課題を解決するための手段】
【００１０】
それ故、本発明の実施形態の目的は、上述した問題に対処し又は少なくともその１つを軽減することである。
【００１１】
本発明の第１の態様によれば、複数の認識が関連した少なくとも１つのユーザ装置であって、前記認識の少なくとも１つを記憶する手段を有するユーザ装置と、前記複数の認識の少なくとも１つを記憶するための記憶手段と、前記ユーザ装置から認識情報を受信し、その受信した認識情報に関連した少なくとも１つの認識を前記記憶手段から得、そして前記記憶手段から得た前記少なくとも１つの認識を前記ユーザ装置へ送信するための手段とを備えた通信システムが提供される。
【００１２】
本発明の第２の態様によれば、通信システムに使用するための通信ノードにおいて、ユーザ装置からの認識情報を受信するための手段と、その受信した認識情報に基づいて前記ユーザ装置に関連した少なくとも１つの認識を記憶手段から得るための手段と、前記記憶手段から得た前記少なくとも１つの認識を前記ユーザ装置へ送信するための手段とを備えた通信ノードが提供される。
【００１３】
本発明の更に別の態様によれば、ユーザ装置からそのユーザ装置に関する認識情報を送信するステップと、前記認識情報に基づいて記憶手段から少なくとも１つの認識を得るステップと、前記得られた少なくとも１つの認識を前記ユーザ装置へ送信するステップとを備えた通信方法が提供される。
【発明を実施するための最良の形態】
【００１４】
本発明、及び本発明をいかに実施するかを良く理解するために、添付図面を参照して一例として以下に詳細に説明する。
本発明の実施形態を組み込むことのできる考えられるネットワークシステムアーキテクチャーを示す図１について先ず説明する。例示的ネットワークシステム１０は、ＵＭＴＳ  ３Ｇ仕様書に基づいて構成される。しかしながら、本発明の別の実施形態を、他の第三世代仕様書又は実際上他の適当な規格と共に使用してもよいことが明らかであろう。ユーザ装置１０は、無線アクセスネットワーク１２に接続することができる。ユーザ装置１０と無線アクセスネットワーク１２との間のこの接続は、ワイヤレス接続１１を経て行われる。ユーザ装置１０は、いかなる適当な形態をとってもよく、例えば、移動電話、ポータブルコンピュータ、パーソナルデジタルアシスタント（ＰＤＡ）、又は他の適当なワイヤレス装置でよい。ワイヤレス装置は、移動でもよいし、そうでなくてもよい。本発明の実施形態は、ユーザ装置１０が、それが通常関連されたネットワークではない訪問先ネットワークにアタッチされるとき、及びユーザ装置がそのホームネットワークにアタッチされるときに、適用できる。
【００１５】
無線アクセスネットワーク１２は、少なくともベースステーションと、通常、コントローラとで構成される。無線アクセスネットワーク１２は、ＧＰＲＳコアネットワークに接続される。例えば、ＲＡＮ１２は、ＳＧＳＮ３０（サービングＧＰＲＳサポートノード）に接続されてもよい。ＳＧＳＮ３０は、次いで、ＧＧＳＮ３２（ゲートウェイＧＰＲＳサポートノード）に接続されてもよい。ＳＧＳＮ及びＧＧＳＮ３２は、ＧＰＲＳコアネットワーク１４を構成する。ＧＧＳＮ３２は、ＤＨＣＰ（ダイナミックホストコンフィギュレーションプロトコル）１５に接続される。ＤＨＣＰ１５は、プロキシーＣＳＣＦノード１６のドメイン名をユーザ装置１０に与えるのに使用される。Ｐ−ＣＳＣＦ１６は、ＧＧＳＮ３２に接続される。ＤＮＳ１８は、Ｐ−ＣＳＣＦ１６及びＳＧＳＮ３０に接続される。ブロック３４に示された要素は、訪問先ネットワークとみなすことができる。
【００１６】
ホームネットワークは、ブロック３６に示されている。訪問先ネットワークとホームネットワークとの間の接続は、訪問先ネットワークのＧＧＳＮ３２及びホームネットワークのＧＧＳＮ３８を経て行なわれる。２つのＧＧＳＮ間には、バックボーンネットワーク又は他の形式の接続がある。ＧＧＳＮ３８は、Ｉ−ＣＳＣＦ２０及びＳ−ＣＳＣＦ２２の両方に接続される。これらＣＳＣＦ２０及び２２の両方は、ＨＳＳ２４に接続される。Ｓ−ＣＳＣＦは、サービングコール状態制御ファンクションであり、ユーザ装置の少なくとも１つに現在サービスしているサーバーで、そのユーザ装置の状態を制御している。ホーム加入者サーバーエンティティ２４は、以下に詳細に述べるように、登録認識、同様のユーザ関連情報、並びにパブリック及びプライベートユーザ認識を記憶するのに使用される。
【００１７】
ＩＰマルチメディア（ＩＭ）サービスのユーザに関連付けできる種々の認識が存在する。ＩＭサブシステムでは、加入者は、プライベートユーザ認識（ＩＭＰＩ）を有していなければならない。プライベート認識は、ホームネットワークオペレータにより指定され、例えば、登録、認証、管理及び会計の目的で使用される。認識は、ＲＦＣ２４８６に規定されたネットワークアクセス識別子の形態をとってもよい。これは、ＩＥＴＦ（インターネットエンジニアリングタスクフォース）規格である。ＩＭＳＩの表示は、プライベート認識に対するネットワークアクセス識別子内に含まれると考えられる。プライベートユーザ認識は、通常、ＳＩＰメッセージのルーティングに使用されない。プライベートユーザ認識は、ユーザ装置からホームネットワークへ通される登録要求に含まれてもよい。プライベートユーザ認識は、ホームネットワークオペレータにより定義された独特のグローバル認識であるのが好ましく、これをホームネットワーク内に使用して、ネットワークパースペクティブからユーザを独特に識別することができる。プライベートユーザ認識は、ユーザに永久的に割り当てられてもよいが、本発明の別の実施形態では、動的に割り当てることができる。これは、ホームネットワークとの契約期間中に有効であるのが好ましい。プライベートユーザ認識は、ＨＳＳ内に記憶された認証情報のようなユーザ情報を識別するのに使用されてもよい。ＩＭＰＩは、オペレータのポリシーに基づいて課金記録に存在してもよい。ＩＭＰＩは、契約、即ちＩＭサービス能力を識別するのであって、ユーザを識別するのではないことを理解されたい。本発明の好ましい実施形態では、ＨＳＳ及びＣ−ＣＳＣＦは、プライベートユーザ認識を得て記憶することが必要である。
【００１８】
パブリックユーザ認識に関する限り、ＩＭサブシステムに対する加入者は、１つ以上のパブリックユーザ認識ＩＭＰＵを有していなければならない。１つ以上のパブリックユーザ認識は、ユーザにより、他のユーザへの通信を要求するために使用される。例えば、これは、ビジネスカードに含まれてもよい。テレコミュニケーションナンバリング及びインターネットネーミングの両構成を使用して、ユーザが有するパブリックユーザ認識に基づいてユーザをアドレスすることができる。１つ以上のパブリックユーザ認識は、ＳＩＰＵＲＬ（参考としてここに取り上げるＲＦＣ２５４３に規定されている）及び参考としてここに取り上げるＲＦＣ２３９６、又は現在電話番号であるＥ．１６４の形態をとってもよい。本発明の好ましい実施形態では、ＩＰマルチメディアコアネットワークサブシステム内のメカニズムを介して２つ以上のパブリック認識が関連した加入者を、例えば、単一の要求によりグローバルに登録することができる。これは、ユーザが必要に応じてそれらのパブリック認識の幾つかを個々に登録するのを除外してはならない。パブリックユーザ認識は、本発明の好ましい実施形態では、登録中にネットワークにより認証される必要がない。パブリックユーザ認識は、ＨＳＳ内のユーザ情報を識別するのに使用されてもよい。
【００１９】
ホームネットワークオペレータは、プライベートユーザ識別子及びパブリックユーザ識別子を指定する役割を果たすことが明らかであろう。本発明のある実施形態は、オペレータにより定義されない他の認識を使用してもよいことが明らかであろう。同じサービスプロフィールに関連した全てのパブリックユーザ認識は、同じ１組のサービスをもたねばならない。所与のユーザは、異なるサービスプロフィールに関連した２つ以上のパブリックユーザ認識を有してもよいことが明らかであろう。本発明の好ましい実施形態では、各パブリックユーザ認識は、単一のサービスプロフィールのみに関連付けされる。
【００２０】
本発明の第１の実施形態、特に、シグナリングのフローを示す図２Ａ、２Ｂを参照して以下に説明する。
第１ステップＳ１において、次のことが生じる。ＧＰＲＳアタッチ手順をたどり、ＰＤＰ（パケットデータプロトコル）コンテクストが確立され、そしてＰ−ＣＳＣＦ発見手順が実行される。ＧＰＲＳアタッチ手順は、ユーザ装置がそれ自身をＧＰＲＳネットワークにアタッチする手順である。これは、既に知られており、ここでは詳細に説明しない。ＰＤＰコンテクスト確立手順は、例えば、参考としてここに取り上げる第三世代仕様書３ＧＰＰＴＳ２４．００８に規定されたＰＤＰコンテクスト確立手順を使用して適切なＰＤＰコンテクストベアラを確立することを含む。ＰＤＰコンテクストの確立は、既に知られており、ここでは詳細に説明しないことを理解されたい。Ｐ−ＣＳＣＦ発見手順では、これが、アタッチ手順の後に実行され、その後は、ＰＤＰコンテクストの首尾良いアクチベーションの一部分となる。これは、２つのメカニズムの一方を使用することができる。１つの手順では、ＤＨＣＰが使用され、そして任意であるが、必要に応じてＤＮＳが使用されて、Ｐ−ＣＳＣＦアドレスを得る。この手順は、ユーザがＤＨＣＰサーバーへ要求を送信することを含む。これは、１つ以上のＰ−ＣＳＣＦの完全に資格のあるドメインネーム及びＤＮＳサーバーのＩＰアドレスのリストを要求してもよいし、又はＰ−ＣＳＣＦ  ＩＰアドレスのリストを要求してもよい。これが必要なＰ−ＣＳＣＦアドレスを与えない場合には、ユーザ装置がＤＮＳサーバーに問合せを送信して、Ｐ−ＣＳＣＦ  ＩＰアドレスのリストを検索し、そこから１つを選択してもよい。ＤＮＳサーバーからの応答がＩＰアドレスを含んでいない場合には、完全に資格のあるドメインネームをＩＰアドレスに分析するために、付加的なＤＮＳ問合せが必要となる。
【００２１】
これは、一例に過ぎず、何らかの適当な手順を使用して、Ｐ−ＣＳＣＦ１６の正しいアドレスを識別できることを理解されたい。
ステップＳ２では、「登録(REGISTER)」要求がユーザ装置からＰ−ＣＳＣＦ１６へ送信される。この要求の目的は、ユーザのＳＩＰ（セッションインターネットプロトコル）均一リソース識別子をホームネットワークのＣＳＣＦ２２に登録することである。この要求は、Ｐ−ＣＳＣＦへルーティングされる。というのは、これは、ユーザ装置に対するＩＰマルチメディアサブシステムへのコンタクトポイントだからである。
【００２２】
ステップＳ３において、ユーザの均一リソース識別子ＵＲＩに基づいて、Ｐ−ＣＳＣＦ１６は、ユーザ装置１０が訪問先ドメインから登録されることを決定し、そしてドメインネームサーバーＤＮＳ１８の問合せを実行して、ホームネットワークにおいてＩ−ＣＳＣＦ２０を探索する。ＤＮＳ１８のルックアップは、要求ＵＲＩに指定されたアドレスに基づいて行なわれる。
【００２３】
ステップＳ４において、Ｐ−ＣＳＣＦ１６は、ユーザ装置１０から発信した登録要求を、ステップＳ３で識別されたＩ−ＣＳＣＦ２０へ送信する。
ステップＳ５において、Ｉ−ＣＳＣＦは、ＨＳＳ２４へ問合せを送信することにより加入者（即ちユーザ）登録状態に関する情報の要求を行なう。ＨＳＳは、要求された能力をＩ−ＣＳＣＦ２０へ返送する。この情報に基づいて、Ｉ−ＣＳＣＦ２０は、適当なＳ−ＣＳＣＦ２２を選択する。
【００２４】
ステップＳ６において、登録メッセージは、Ｉ−ＣＳＣＦ２０により、選択されたＳ−ＣＳＣＦ２２へ送信される。
ステップＳ７において、認証手順が実行される。非許可のユーザ（即ち、まだ許可されていないユーザ）から登録要求を受信すると、Ｓ−ＣＳＣＦ２２は、少なくとも１つの認証ベクトルを使用してユーザにチャレンジすることを要求する。有効な認証ベクトルが得られない場合に、Ｓ−ＣＳＣＦ２２は、このようなベクトルをＨＳＳから要求する。このステップでは、Ｓ−ＣＳＣＦは、ＨＳＳ２４に、それが特定のユーザにサービスするよう指定されたことも指示する。
【００２５】
ステップＳ８において、Ｓ−ＣＳＣＦ２２は、認証チャレンジに使用するためのベクトルを選択する。
ステップＳ９において、Ｓ−ＣＳＣＦ２２は、認証チャレンジをＩ−ＣＳＣＦ２０へ送信する。ステップＳ１０では、Ｉ−ＣＳＣＦ２０がそのチャレンジを関連Ｐ−ＣＳＣＦ１６へ転送する。次いで、Ｐ−ＣＳＣＦ１６は、認証チャレンジを、ステップＳ１１において、ユーザ装置１０へ送信する。
【００２６】
ステップＳ１２において、ユーザ装置は、応答及びセッションキーを発生するように構成される。
ステップＳ１３において、ユーザ装置１０は、「ユニバーサル集積回路カードＵＩＣＣ」カードのＵＳＩＭアプリケーションから国際移動加入者認識ＩＭＳＩを得、そしてそれを、ユーザ装置により発生された登録メッセージに含ませる。この登録要求は、ユーザ装置への応答も含む。この登録メッセージは、完全性保護を含み、従って、ＩＭＳＩ情報を、それが第１登録メッセージに含まれる（即ちステップＳ２）場合より良好なセキュリティでこのメッセージに含ませることができる。登録メッセージは、ユーザ装置１０からＰ−ＣＳＣＦ１６へ送信される。ステップＳ１４は、Ｓ３と同様であり、Ｐ−ＣＳＣＦ１６がステップＳ１５において登録メッセージを正しいＩ−ＣＳＣＦ２０へ送信するよう確保する。
【００２７】
ステップＳ１６及びステップＳ１７は、上述したステップＳ５及びＳ６と同様である。
ステップＳ１８において、Ｓ−ＣＳＣＦ２２は、ＵＥ１０の認証応答をチェックし、そしてそれが首尾良いものであることを照合する。
ステップＳ１９において、ユーザがＳ−ＣＳＣＦ２２により登録されると、Ｓ−ＣＳＣＦ２２は、ユーザが登録されたことをＨＳＳ２４に通知する。又、ＨＳＳは、Ｓ−ＣＳＣＦ２２へ返送される応答にユーザプロフィールを含んでもよい。
【００２８】
ステップＳ２０において、認証が首尾良く行われた場合には、Ｓ−ＣＳＣＦは、ユーザ装置へ送信されるメッセージに、ＩＭＰＩ及び／又は登録されたＩＭＰＵを含ませる。ステップＳ２０において、Ｓ−ＣＳＣＦ２２からＩ−ＣＳＣＦ２０へ情報が送信される。ステップＳ２１では、その情報がＩ−ＣＳＣＦ２０からＰ−ＣＳＣＦ１６へ転送される。最後に、ステップＳ２１において、メッセージがＰ−ＣＳＣＦからＵＥ１０へ転送される。
ＵＥ１０は、ＩＭＰＩ及び／又はＩＭＰＵを受信すると、それらをユーザ装置の電話メモリに記憶し、そしてそれらを、ＩＭＳ仕様書に規定されたように使用する。
【００２９】
第１の登録メッセージはＩＭＳＩを含まないので、このメッセージは、正しいＨＳＳ２４を識別できるようにするある情報を含まねばならない。例えば、ユーザには、関連するＨＳＳの識別番号を与えてもよい。本発明の別の実施形態では、別のやり方を使用して、ユーザに対する正しいＨＳＳを決定してもよいことを理解されたい。又、ステップＳ２０、Ｓ２１及びＳ２２で送信されるメッセージは、パブリック及びプライベートユーザ認識を保持するように変更する必要があることも理解されたい。
【００３０】
本発明の別の実施形態を示す図３Ａ、３Ｂを参照して以下に説明する。ステップＴ１は、図２ＡのステップＳ１と同じである。
図３ＡのステップＴ２では、図２ＡのステップＳ２と同様のファンクションが実行される。しかしながら、ＩＭＳＩ情報、又はそこから導出された識別子は、登録メッセージに含まれてもよい。これは、所与のＵＥ１０に対するＨＳＳを識別するのを許す。ステップＴ３からＴ１２は、図２Ａ、２ＢのステップＳ３からＳ１２と同じ又は同様である。ステップＴ１３の第２の登録要求は、第１の登録要求と同じＵＥ識別子を含むことになる。このメッセージは、完全性保護をもつので、ステップＴ２において送信された値を確認することができる。ステップＴ１４からＴ１８は、図２ＢのステップＳ１４からＳ１８と同じでよい。ステップＴ１９では、Ｓ−ＣＳＣＦ２２は、ＩＭＰＵ及び／又はＩＭＰＩを含むユーザのプロフィールを供給するようにＨＳＳに求めてもよい。その応答として、ＨＳＳは、ＩＭＰＵ及び／又はＩＭＰＩをＳ−ＣＳＣＦに供給する。現在の仕様では、ＨＳＳは、Ｓ−ＣＳＣＦにより送信されたメッセージに対する応答においてユーザプロフィールを供給できることを理解されたい。
【００３１】
ステップＴ２０からＴ２２において、Ｓ−ＣＳＣＦによりユーザ装置へＯＫメッセージが送信される。これらのメッセージは、パブリック及び／又はプライベート認識を含む。認識の番号は、ユーザ装置に記憶される。
【００３２】
本発明の更に別の実施形態を示す図４Ａ、４Ｂを参照して以下に説明する。ステップＲ１からＲ１９は、図３Ａ、３Ｂを参照して述べたものと同じである。しかしながら、ステップＲ２０からＲ２２に送信されるメッセージ、即ち２００  ＯＫメッセージは、プライベート認識もパブリック認識も含まない。むしろ、ユーザ装置が登録された後に、パブリック及び／又はプライベート認識を得るプロセスが実行される。これが図５に示されている。
【００３３】
図５において、第１ステップＭ１に、「契約(SUBSCRIBE)」メッセージがユーザ装置１０によりＰ−ＣＳＣＦ１６へ送信される。これにより、ユーザ装置が登録状態事象パケットに契約し、そしてＩＭＳＩ又は導出された値を識別子として使用する。ステップＭ２では、これがＰ−ＣＳＣＦ１６によりＳ−ＣＳＣＦ２２へ転送される。ステップＭ３では、応答がＳ−ＣＳＣＦ２２からＰ−ＣＳＣＦ１６へ送信され、そしてステップＭ４では、メッセージがＰ−ＣＳＣＦ１６によりユーザ装置１０へ転送される。ステップＭ５では、Ｓ−ＣＳＣＦ２２は、プライベート及び／又はパブリック識別子を含む通知メッセージをＰ−ＣＳＣＦ１６へ送信する。ステップＭ７では、ユーザ装置は、応答、即ち２００  ＯＫメッセージをＰ−ＣＳＣＦ１６へ送信し、これは、ステップＭ８においてＳ−ＣＳＣＦ２２へ転送される。
【００３４】
ユーザ装置は、１つ以上の受信したパブリック又はプライベート識別子をその後のシグナリングに使用してもよいし、或いはＩＭＳＩ又は導出された値をその後のシグナリングに使用し続けることもできることを理解されたい。
【００３５】
契約メッセージは、加入者の登録状態について通知するための要求を含み、これは、２００  ＯＫメッセージにより確認される。この要求に応答して、Ｓ−ＣＳＣＦは、首尾良い登録の際に登録されるようにユーザがそのネットワークオペレータと合意したところのＩＭＰＵ及び／又はＩＭＰＩを含む通知メッセージをユーザへ送信する。ターミナルは、それ自身の登録状態に対する契約メッセージを、ＩＭＳＩを使用して、それが登録された直後に、送信するように予め構成されてもよいことを理解されたい。Ｓ−ＣＳＣＦ２２は、ステップＴ１９においてＨＳＳから加入者プロフィールをダウンロードする間のような適当な時間に、ＩＭＰＵ及び／又はＩＭＰＩ情報を得てもよいことを理解されたい。
【００３６】
本発明の実施形態の１つの変形において、ＩＭＳＩ番号を使用するのとは別に、既にＧＳＭアタッチされたユーザ装置は、ユーザ装置がＧＳＭネットワークにアタッチされるときに受信する一時的ＩＭＳＩ（ＴＩＭＳＩ）等を使用することもできる。ネットワークに対してユーザを独特に識別する導出された認識又は一時的認識を使用することもできる。ＴＩＭＳＩ等の主たる利益は、どのユーザ（即ちどのＩＭＳＩ）がＩＭＳに登録されるか誰も分からない（エアインターフェイスを盗聴することにより）ことである。
【００３７】
本発明の好ましい実施形態は、ＧＰＲＳシステム及びＩＰマルチメディアシステムについて説明したが、本発明は、これらのシステムに限定されず、他のシステムにも使用できることを理解されたい。
【図面の簡単な説明】
【００３８】
【図１】本発明の実施形態を組み込むことのできる通信システムアーキテクチャーを示す図である。
【図２Ａ】本発明の第１の実施形態に基づく第１情報流を示す図である。
【図２Ｂ】本発明の第１の実施形態に基づく第１情報流を示す図である。
【図３Ａ】本発明の第２の実施形態に基づく情報流を示す図である。
【図３Ｂ】本発明の第２の実施形態に基づく情報流を示す図である。
【図４Ａ】本発明の第３の実施形態に基づく情報流を示す図である。
【図４Ｂ】本発明の第３の実施形態に基づく情報流を示す図である。
【図５】図４に関連して使用される更に別の信号流を示す図である。
【図１】
2005521335.tif 000003
【図２Ａ】
2005521335.tif 000004
【図２Ｂ】
2005521335.tif 000005
【図３Ａ】
2005521335.tif 000006
【図３Ｂ】
2005521335.tif 000007
【図４Ａ】
2005521335.tif 000008
【図４Ｂ】
2005521335.tif 000009
【図５】
2005521335.tif 000010
【国際調査報告】
2005521335.tif 000011
2005521335.tif 000012
2005521335.tif 000013